(57)【要約】【課題】  この発明は、磯または防波堤などの釣方で技術的に難しいダンゴの遠投が簡単に出来るようにウキに乗せて運び遠投を可能とし、ダンゴを放出前と放出後で全体の表面積を減らして小さい当たりの感度も良い、ダンゴ遠投ウキを提供するものである。【解決手段】２本の端糸（３）と単数または複数のバランス糸（７）に弛ませたネット（２）を形成し、それをウキ本体（１）の中心から下方部にかけて取り付け、取り付け方法は、ウキ底部の周囲を約半分囲うようにバランス糸（７）の端と、端糸（３）の端を付けた、そしてもう片方のバランス糸（７）の端と、端糸（３）の端は係留部（２１）を形成した。【選択図】  図１
2005312427.tif 000002
【特許請求の範囲】
【請求項１】
２本の端糸（３）と単数または複数のバランス糸（７）に弛ませたネット（２）を形成し、それをウキ本体（１）の中心から下方部にかけて取り付け、取り付け方法は、ウキ底部の周囲を約半分囲うようにバランス糸（７）の端と、端糸（３）の端を付けた、そしてもう片方のバランス糸（７）の端と、端糸（３）の端は係留部（２１）を形成した、ダンゴ遠投ウキ１。
【請求項２】
ネット（２）を、ウキ本体（１）の中心から下方部にかけて直接取り付け、取り付け方法は弛ませてウキ底部の周囲を約半分囲うように取り付ける、そのネット（２）の端にそって２本の端糸（３）を取り付け、そして２本の端糸（３）の端をウキ本体（１）に取り付けた、請求項１のダンゴ遠投ウキ１。
【請求項３】
ダンゴ型枠のバー（５）を、バランス糸（７）の代わりに付ける、またはウキ本体（１）にネットを直接取り付けた状態で奥まった位置、またはそこより少し手前に取り付ける、そしてダンゴ型枠のバー（５）には糸通しガイド部（６）を形成する、またネット（２）にダンゴ型枠のバー（５）を取り付けるには、ネット（２）の網目を通し、またはネット（２）に絡めて付けた、そして端糸（３）を糸通しガイド部（６）に通した、請求項１または請求項２のダンゴ遠投ウキ１。
【請求項４】
超弾性合金線のバー（４）を、バランス糸（７）の代わりに付ける、またはウキ本体（１）にネットを直接取り付けた状態で奥まった位置、またはそこより少し手前に取り付ける、そして超弾性合金線のバー（４）には糸通しガイド部（６）を形成する、またネット（２）に超弾性合金線のバー（４）を取り付けるには、ネット（２）の網目を通し、またはネット（２）に絡めて付けた、そして端糸（３）を糸通しガイド部（６）に通した、請求項１または請求項２のダンゴ遠投ウキ１。
【請求項５】
２本の端糸（３）のうち一本の端糸（３）または２本の端糸（３）の代わりに超弾性合金線のバー（４）を取り付けた、それはそのまま端糸（３）の代わりとして、または超弾性合金線のバー（４）の端に糸通しガイド部（６）を形成する、そのほかに超弾性合金線のバー（４）に端糸（３）をつないで付けた、請求項１、請求項２、請求項４のダンゴ遠投ウキ１。
【請求項６】
ウキ本体（１）の底部に、斜め下方に向けたダンゴ受け（２３）を取り付けた、請求項１、請求項２、請求項４、請求項５、のダンゴ遠投ウキ１。
【請求項７】
ウキ本体（１）に、ネット（２）を取り付けた外周に、内周を合わせたリング形状カバー（２２）を取り付けた請求項２、請求項３、請求項４、請求項５のダンゴ遠投ウキ１。
【発明の詳細な説明】
【技術分野】
【０００１】  この発明は、磯または防波堤などの釣方で技術的に難しいダンゴの遠投が簡単に出来るようにウキに乗せて運び遠投を可能とし、ダンゴを放出前と放出後で全体の表面積を減らして小さい当たりの感度も良い、主にダンゴ遠投のウキに関するものである。
【背景技術】
【０００２】  従来の技術で主流は、ダンゴを手で持って投げるか、または柄杓の上に載せて投げていた。この場合の飛距離は１０メートル前後であった。また遠投しやすい柄杓も開発されている。他にはダンゴをカゴに入れて遠投する方法もあるが、カゴ仕掛けではウキとして大事な感度が悪くなった。また合わせの瞬間などはカゴの重量と水中の移動抵抗で重く鈍重感があった、よって魚釣の楽しみの一つである合わせが楽しくなかった。
従来の技術でダンゴを運ぶウキとしては、特許公開平１０−２８５０２の針掛り援助付き籠仕掛けが記載されている。
【発明の開示】
【発明が解決しようとする課題】
【０００３】  請求項１では、ダンゴを柄杓の上に載せて投げても届かないポイントに、ウキに載せて釣竿の弾力で投げ込めること。
そしてダンゴを、ネットを使って包むことで遠投するタイミングで崩れることがないこと、また個人差にもよるが２０メートル前後の飛距離を可能とすること。
魚の視界から遠い水面でダンゴを放出して、魚に警戒されないこと。
ネットを使用し簡単な構造であり、ダンゴ放出後はネットがしぼみ水中移動抵抗が少なく、フカセウキに近い感度が望めて、合わせを楽しみながら釣ができること。
請求項２では、請求項１と同様の課題解決の他に、原形のままのオキアミを含んだコマセを遠投、放出できること。【０００４】  請求項３では、請求項１と同様の課題解決の他にも、ネットを真っ直ぐに直してからダンゴに包む必要があった。
ダンゴの型枠としてそれを入れ込めることができて、手返しを良くすること。
端糸に自由度を持たせてダンゴを包み良くすること。
ダンゴがウキの下部先端に当たらず、ダンゴ放出がし易いこと。またダンゴの変形による放出の妨げをなくすこと。
請求項４では、請求項１と同様の課題解決の他にも、ネットが直線に近いように伸びてダンゴが包み易いこと、超弾性合金線のバーは軽量であって、その弾力によってダンゴ放出後はネットがより真っ直ぐ伸びて水中移動抵抗は少なく、軽量であるのでウキのレスポンスが良く、魚の当たりが明確にでること。
端糸に自由度を持たせてダンゴを包み良くすること。
請求項４、でも原形のままのオキアミを含んだコマセを遠投、放出できること。
請求項５では、請求項４と同様の効果があること、
他にも、超弾性合金線のバーを複数本使用する場合では、ネットが直線に近いように伸ることだけでなく、横にも張ってダンゴが包み易いこと、
その他、ダンゴをネットの７割で包んでも、ダンゴ放出ができて、ダンゴを包むのに気を使わなくてよいこと。
請求項５でも原形のままのオキアミを含んだコマセを遠投、放出できること。
請求項６では、ダンゴを包みできるだけ遠投しようと力を入れてキャストすると、ダンゴがウキに当たっている部分にウキがくい込み変形し、ダンゴ放出の妨げになったのでこれを防止すること。特に少々柔らかいダンゴではよけいに変形したがそれでも放出できること。
ダンゴを本発明に包む時の、ダンゴの安定を良くすること。
請求項７では、ネットを取り付けるのに接着材が散乱して不良品が多く出たので、それを改善する必要があった。
【課題を解決するための手段】
【０００５】本発明は上記課題を解決する為のもので、
請求項１では、２本の端糸（３）と単数または複数のバランス糸（７）に弛ませたネット（２）を形成し、それをウキ本体（１）の中心から下方部にかけて取り付け、取り付け方法は、ウキ底部の周囲を約半分囲うようにバランス糸（７）の端と、端糸（３）の端を付けた、そしてもう片方のバランス糸（７）の端と、端糸（３）の端は係留部（２１）を形成した。
請求項２では、
ネット（２）を、ウキ本体（１）の中心から下方部にかけて直接取り付け、取り付け方法は弛ませてウキ底部の周囲を約半分囲うように取り付ける、そのネット（２）の端にそって２本の端糸（３）を取り付け、そして２本の端糸（３）の端をウキ本体（１）に取り付けた。
請求項３では、
ダンゴ型枠のバー（５）を、バランス糸（７）の代わりに付ける、またはウキ本体（１）にネットを直接取り付けた状態で奥まった位置、またはそこより少し手前に取り付ける、そしてダンゴ型枠のバー（５）には糸通しガイド部（６）を形成する、またネット（２）にダンゴ型枠のバー（５）を取り付けるには、ネット（２）の網目を通し、またはネット（２）に絡めて付けた、そして端糸（３）を糸通しガイド部（６）に通した。
請求項４では、
超弾性合金線のバー（４）を、バランス糸（７）の代わりに付ける、またはウキ本体（１）にネットを直接取り付けた状態で奥まった位置、またはそこより少し手前に取り付ける、そして超弾性合金線のバー（４）には糸通しガイド部（６）を形成する、またネット（２）に超弾性合金線のバー（４）を取り付けるには、ネット（２）の網目を通し、またはネット（２）に絡めて付けた、そして端糸（３）を糸通しガイド部（６）に通した。
請求項５では、
２本の端糸（３）のうち一本の端糸（３）または２本の端糸（３）の代わりに超弾性合金線のバー（４）を取り付けた、それはそのまま端糸（３）の代わりとして、または超弾性合金線のバー（４）の端に糸通しガイド部（６）を形成する、そのほかに超弾性合金線のバー（４）に端糸（３）をつないで付けた。
請求項６では、
ウキ本体（１）の底部に、斜め下方に向けたダンゴ受け（２３）を取り付けた。
請求項７では、
ウキ本体（１）に、ネット（２）を取り付けた外周に、内周を合わせたリング形状カバー（２２）を取り付けた。
【発明の効果】
【０００６】  請求項１では、ダンゴを柄杓の上に載せて投げても届かないポイントに、ウキに載せて釣竿の弾力で投げ込めた。
ダンゴを、ネットを使って包むことで遠投のタイミングで崩れることなく確実にポイントへ着水することができた。そして個人差にもよるが２０メートル前後の飛距離が可能となった。また力のある人では２５メートル以上投げた。
魚の視界から遠い水面でダンゴを放出できたので、魚に警戒されない。
ダンゴ放出後、ネットがしぼんで表面積は小さくなって、水中移動抵抗を少なくすることができた。よって魚にあまり違和感をあたえず餌のくい込みがよくなった。そして魚の引き、放した時の戻りが明確となりレスポンスがよくなったので当たりがとりやすくなった。さらに構造が簡単である。
よつてこのような機能を備えたウキであってもウキフカセ釣りに近い感覚で合わせを楽しみながら釣ができた。
請求項２では、請求項１と同様の効果があり、他には原形のままのオキアミを含んだコマセを遠投、放出できた。【０００７】  請求項３では、請求項１と同様の効果の他に、ネットを真っ直ぐに直してからダンゴに包む必要がなくなった。
また、ダンゴの型枠として上からダンゴを入れるだけなので、包み良くなり手返しが良くなった。
端糸に自由度を持たせられてダンゴが包み良くなった。
ダンゴがウキの下部先端に当たらず、ダンゴ放出がし易くなった。
そしてダンゴの変形が少なくなった。
請求項４では、請求項１と同様の効果の他に、ネットが直線に近いように伸びてダンゴが包み易くなった。
超弾性合金線のバーは軽量であって、その弾力によってダンゴ放出後はネットがより真っ直ぐ伸びて水中移動抵抗は少なく、軽量であるのでウキのレスポンスが良く、魚の当たりが明確にでた。
端糸に自由度を持たせられてダンゴが包み良くなった。
請求項４でも、原形のままのオキアミを含んだコマセを遠投、放出できた。
請求項５では、請求項４と同様の効果があり、また超弾性合金線のバーを複数本、使用する場合には、ネットが直線に近いように伸ることだけでなく、横にも張ってダンゴが包み易くなった。
その他に、ダンゴをネットの６割、７割で包んでも、ダンゴ放出ができたので、ダンゴを包むのに気を使わなくてもよくなった。
請求項５でも原形のままのオキアミを含んだコマセを遠投、放出できた。
請求項６では、ダンゴにウキの下部先端が直接当たらないのでダンゴがほとんど変形せず、ダンゴ放出がスムーズになった。
また少々柔らかいダンゴでも、ダンゴ放出ができた。
ダンゴを包む際にダンゴの安定が良くなり包み易くなった。
請求項７では、ネットを取り付けるのに接着材が散乱して不良品が多く出たのを良品として生産できた。
【発明を実施するための最良の形態】
【０００８】  以下、本発明の実施例について説明する。
請求項１では、構造を  図１、図２、に示すように、
２本の端糸（３）と単数または複数のバランス糸（７）に弛ませたネット（２）を形成し、それをウキ本体（１）の中心から下方部にかけて取り付け、取り付け方法は、ウキ底部の周囲を約半分囲うようにバランス糸（７）の端と、端糸（３）の端を付けた、そしてもう片方のバランス糸（７）の端と、端糸（３）の端は係留部（２１）を形成した。
以上の構造でそれを詳しく述べると、
バランス糸（７）の端と、端糸（３）の端を付ける位置は、ウキ底部の周囲を約半分囲うようにつけるが、約半分とは、試作品を用いてウキ底部の直径で１．８ミリから２．８ミリまでのウキ底部の直径においてダンゴを包むまたは放出がし易かった。これを直径で２．８ミリを上まれば、バランス糸（７）の端と、端糸（３）の端を付ける位置は半円を割っても、ダンゴを包むための大きさを許容するネット面積がえられるので、機能上問題はない。また直径で１．８ミリから下回ったときには、幾分Ｃ形になっても良い。ただしネットの質、ダンゴの大きさにもよるので直径の数値は一例程度である。他に、斜めウキではネット（２）の取り付けは、半楕円になった。
以上は端糸（３）とネット（２）の構成である請求項２でも同様である。
バランス糸（７）は、一本でも、複数でも、効果は同様であった。
ウキ本体（１）の材質は、木製または合成樹脂製、中空とした金属で製作したが、他にも浮力を有する材質、形状であればよいので、それは問わない。
ネット（２）の網目のサイズは、包んだダンゴが漏れない程度の網目であれば良い、また網目が３ミリ角のように細かいと、ダンゴ遠投の際に割れずらくなる。
そして材質は、合成繊維を使用したが、機能上で丈夫なネットであればよいので材質は問わない。
端糸（３）は丈夫な合成繊維を使用したが、丈夫であれば天然繊維、合成繊維を問わない。
ネット（２）、端糸（３）とも水を含みにくい材質が望ましい。
２本の端糸（３）と単数または複数のバランス糸（７）に弛ませたネット（２）を形成するには、端糸（３）とバランス糸（７）にネットを弛ませた状態で縫い付けた。または図２７に示すように、端糸（３）とバランス糸（７）に編んで付けても良い。
係留部の形成は、リング形状などを先端に付けた構造である。
例えば、図１２に示すように、２本の端糸（３）と単数または複数のバランス糸（７）を合わせて、カン付き円筒管（１４）に挿入接着した。
またその他の方法を箇条書きにして述べると、
イ、２本の端糸（３）と単数または複数のバランス糸（７）をリングに結んだ。
ロ、２本の端糸（３）と単数または複数のバランス糸（７）を合わせて柄付きのリングに糸で絡めた。
ハ、２本の端糸（３）と単数または複数のバランス糸（７）を合わせてこのうち一本を長くしておいて折り返して、糸で絡めて接着固定した。
ニ、ワイヤーを折り返して丸めて、糸で絡めて接着材で固定した。
ホ、サルカンまたはスイベルに２本の端糸（３）と単数または複数のバランス糸（７）を合わせて結んだ。
さらにこの他、２本の端糸（３）と単数または複数のバランス糸（７）を合わせて固定して、カン付きウキゴムに、楊枝などと共に挿入固定する。
２本の端糸（３）と単数または複数のバランス糸（７）の何れか一本を長くしておいて合わせて、仕掛けのスナップスイベルに付ける。これも一つの係留部の形成である。
上記したように、係留部の形成は構造が簡単なため様々あります、これは実質的には、誘導式仕掛けの道糸に本発明の下部先端が付けばよく、主にリングの形状であったり単に穴だったりしても道糸伝いに動けばよいわけで、係留部の構造は問わない。【０００９】  請求項２では、図３、図４に示すように、
ネット（２）を、ウキ本体（１）の中心から下方部にかけて直接取り付け、取り付け方法は弛ませてウキ底部の周囲を約半分囲うように取り付ける、そのネット（２）の端にそって２本の端糸（３）を取り付け、そして２本の端糸（３）の端をウキ本体（１）に取り付けた。
請求項２の構造は以上で、それを詳しく述べる、
これは請求項１のバランス糸（７）の機能をネットに代えている。
ウキ本体（１）への取り付けの例をあげると、ネットの網目が大きい場合には、ウキ本体（１）に穴を開けておいてネットの糸を挿入し接着した、また端糸（３）もウキ本体（１）に穴を開けておいて挿入し接着した。
網目の小さい場合には、ウキ本体（１）の中心から下方部にかけてネットを糸で巻いて接着して取り付け、端糸（３）はウキ本体（１）に穴を開けておいて挿入し接着した。またはネットと端糸（３）とも糸で巻いてともに接着して取り付けた。
以上の例をあげましたが、ウキにネットまたは端糸の取り付けはこの方法に限定されない。【００１０】  ネット（２）への端糸（３）の取り付け方法は、端糸（３）をネット（２）の端にそって網目に通し取り付けた。これは網目に通し縫い付けても、通すだけでも良い。
または図７に示すように、端糸（３）を、ネットを織って隙間を作りそこに通して取り付けても同様の効果がある。この他にも、端糸（３）をネット（２）の端にそって縫い付けた。
また、端糸（３）をネット（２）の端にそって縫い付け、または網目に通し縫い付けダンゴを詰め吊るすと図２８のようになり、網目に通しただけでは図１０のようになり、そして双方ともダンゴを放出できた。
端糸（３）をネット（２）に縫い付けた場合、端糸、ネットとも材質は請求項１と同じである。
端糸（３）を網目等に通す場合には、ネット（２）の材質は弾力のある合成繊維を使用したが、他でも弾力のある繊維であれば、材質は問わない。
またこの場合の端糸（３）は網目の通りが良いように表面が滑らかな合成繊維を使用したが、網目の通りが良ければ材質は問わない。このネット（２）と端糸（３）として、ダンゴを包み端糸（３）を引くとネット（２）はよく締まる、またダンゴ放出の際には、ネット（２）はその弾力によって、網目内を通した表面が滑らかな端糸（３）伝いに緩み、ダンゴは放出される。
他に、ネット（２）、端糸（３）とも水を含みにくい材質が望ましい。【００１１】  本発明を使用するにあたり仕掛け及び仕掛け取り付けについて、図８、図９、図１０に示す、
道糸に通したスナップ付スイベル（９）などに本発明の係留部を取り付ける。請求項２では端糸２本を揃えて結ぶ。
この結びかたは、ハリスにサルカン、またはルアーなどを結ぶ要領で行う、それは釣人であれば簡単なことである。
錘の設定は、錘の重量によってウキの上部がわずか水面に出るくらいとする。
本発明の仕掛けは、一般には誘導式仕掛けで、仕掛けの順番は、下部から釣針（１７）を釣糸（１２）につけて、その釣糸（１２）に錘（１６）、２０センチ以上離して下部浮き止め（８）、シモリ玉（１３）、スナップ付スイベル（９）、シモリ玉（１３）、最後に上部浮き止め（１１）を付けこのうちスナップ付スイベル（９）に本発明を付けておく。
本発明を使用するときは、釣針に付け餌をつけダンゴに入れる、ダンゴには凸凹がないように丁寧に握って、ダンゴのハリスが出ている方を上にして手で持つ、次に本発明を持って、端糸（３）を摘みネット（２）を開きダンゴを置く、そして弛んだネット（２）の網目が張ってネットが伸びるようして、ダンゴの面積の約５割から約６割以内をネットで包む、このままダンゴと共に手で持って軽く押さえスナップ付スイベル（９）を引き固定を確認し上げる、この状態でウキ本体（１）は反転しダンゴを端糸（３）、ネット（２）、バランス糸（７）とで包み、ウキ本体（１）の底部に当たりダンゴは固定される。
請求項２では、ネット（２）がバランス糸（７）の機能を備えているので、ダンゴを端糸（３）、ネット（２）とで包み、ウキ本体（１）の底部に当たりダンゴは固定される。あとは下部浮き止め（８）のところに移動し道糸をたるませないようにリールを投げの状態に設定し約４５度で投げる。このタイミングでネットがダンゴにかかる余分な力を軽減するのでダンゴが割れにくい。
着水はウキ本体（１）の部分から入り、着水すると同時に水中で、端糸（３）、ネット（２）、バランス糸（７）が緩みダンゴが外れ易い状態となる。
請求項２では、端糸（３）とネット（２）が緩みダンゴが外れ易い状態となる。
ウキ本体（１）は浮力で水面に行く力が働き、ウキ本体（１）が上方、ダンゴの入ったネットは下方を向く、するとダンゴの重さと、錘が沈みダンゴが下に引っ張られるので外れる。またダンゴの重さだけで外れることもある。他にライナーで投げると着水寸前で空中にてネットより放出されることもある。
また端糸（３）とネット（２）によりダンゴは一方向に開いている側に放出されるので、ハリスがウキ本体（１）に絡まない。その後浮きは上部ウキ止め（１１）に係り水面を漂い、ダンゴは棚に落ちてゆく。
そしてダンゴがバラケ終わると、魚が付け餌を食べてウキ本体（１）に反応がでる。
本発明はダンゴ放出後にしぼみ表面積がへる、また上部ウキ止め（１１）がスナップ付スイベル（９）に当たると、ダンゴと錘（１６）の重量でネット先端は尖るので、より水中移動抵抗が減り、フカセウキに近い感度となる。その後魚が付け餌をくわえると、魚の当たりが明確にでる。
また、カゴ等が装備されている状態と比較すると魚をかけた瞬間などは下部ウキ止めが下方にあるのでそこに当たらず鈍重な感覚がない。
その他、請求項２でも、ダンゴの大きさの平均に合わせて、端糸（３）の端に係留部を形成しても良い。【００１２】  図１５に示すように、
ウキの形状は、どんぐり型の他にも棒ウキでも実施できた。【００１３】  請求項３の構造は、図５、図６、図１４、図１７、図１８に示すように、
ダンゴ型枠のバー（５）を、バランス糸（７）の代わりに付ける、またはウキ本体（１）にネットを直接取り付けた状態で奥まった位置、またはそこより少し手前に取り付ける、そしてダンゴ型枠のバー（５）には糸通しガイド部（６）を形成する、またネット（２）にダンゴ型枠のバー（５）を取り付けるには、ネット（２）の網目を通し、またはネット（２）に絡めて付けた、そして端糸（３）を糸通しガイド部（６）に通した。
請求項３の、ダンゴ型枠のバー（５）は網目を通しても、またはネット（２）に絡めて付けても良い。ただしダンゴ型枠のバー（５）を網目に通した場合は、ネットの最下部を絡めておくとネットがずり落ちない。
ダンゴ型枠のバー（５）のウキ本体（１）への取り付けは、ウキ本体（１）に穴を開け挿入し接着剤で補強した。また他に金具を用いて固定しても良い。
ダンゴ型枠のバー（５）は直径１．３ミリの鋼線材を曲げて加工し熱処理後にメッキして使用しました。尚、ステンレス材であればメッキの必要はありません。
またこれも型枠となればよいので太さ材質はこの限りではありません。
ダンゴ型枠のバー（５）は、ウキ本体（１）にネットを直接取り付けた状態で奥まった位置、または図４１に示すように、そこより少し手前に取り付けても、効果は同じである。【００１４】  請求項３の糸通しのガイド部（６）の形成は、以下に示す。
ガイド部（６）の目的は端糸（３）を通し、それに負担をかけず前後すればよいのでリング型、四角型、楕円型、などで形状、材質は問わない。
ここでガイド部をリング形状とした例をあげる。
図１１に示すように、ダンゴ型枠のバー（５）は端を折り曲げて糸で絡めて接着剤で補強しリングを形成した。
別付けでは、図２３に示すように、柄付のリングを糸で絡めて、接着材で補強した。また、他の方法では、カン付き円筒管付を挿入し接着材で固定した。
その他に、ワイヤー、または張りのある糸を丸め、糸で絡めて、接着剤で補強した。
別付けのリングの材質は主に金属製であるが、強度があれば合成樹脂製でも良い。
請求項３の構造は以上で、作用、効果について述べる、
ダンゴ型枠のバー（５）によって、それが最初から型枠となっているので、ネットのよれは発生しない、そこでよれを直してからダンゴに包む必要がなくなった。また、ダンゴ型枠のバー（５）によって、ダンゴの型枠があり、上からダンゴを載せネットを寄せやすくなったのでダンゴが包み良くなった、そこで結果として手返しが良くなった。またダンゴ型枠のバー（５）とガイド部（６）によって、端糸（３）に自由度を持たせられてよりダンゴが包み良くなった。
他には、ダンゴを端糸（３）、ネット（２）、ダンゴ型枠のバー（５）とで包み、ウキ本体（１）には当たらずダンゴは固定される、そこでキャストの際にウキ下部先端によって、ダンゴが変形し放出の妨げにはならないので、ダンゴ放出がし易くなった。
またダンゴ型枠のバー（５）によって少々変形しても、放出方向に傾斜しているので、ダンゴ放出はできる。【００１５】  請求項４では、構造を図１６、図１９、図２０、図２５、図２６に示す、
超弾性合金線のバー（４）を、バランス糸（７）の代わりに付ける、またはウキ本体（１）にネットを直接取り付けた状態で奥まった位置、またはそこより少し手前に取り付ける、そして超弾性合金線のバー（４）には糸通しガイド部（６）を形成する、また
ネット（２）に超弾性合金線のバー（４）を取り付けるには、ネット（２）の網目を通し、またはネット（２）に絡めて付けた、そして端糸（３）を糸通しガイド部（６）に通した。
超弾性合金線のバー（４）はウキ本体（１）にネットを直接取り付けた状態で奥まった位置、または図４２に示すように、そこより少し手前に取り付けても、同様の効果がある。
上記した構造を詳しく述べると、請求項４の超弾性合金線のバー（４）は網目を通しても、またはネット（２）に絡めて付けても効果は同じである。
超弾性合金線のバー（４）のウキ本体（１）への取り付けは、ウキ本体（１）に穴を開け挿入し接着剤で補強した。また他に金具を用いて固定することもできる。なお超弾性合金線のバー（４）の取り付けはこの方法に限定されない。
超弾性合金線のバー（４）の材質は、ニッケルとチタンの合金でリメンバロイの超弾性合金線を使用しました。試作品では直径０．３ミリを使用し柔らかく好結果がえられましたが、弾性力は材料の配合、製造過程の処理で変化するために、太さ材質はこの限りではありません。【００１６】  請求項４の糸通しのガイド部（６）の形成は、以下に示す。
請求項３でも請求項４でも、ガイド部（６）の目的は端糸（３）を通し、それに負担をかけず前後すればよいのでリング型、四角型、楕円型、などで形状、材質は問わない。ここでガイド部をリング形状とした例をあげる。
図１９、図２０に示すように、超弾性合金線のバー（４）の端を折り曲げて糸で絡めて接着剤で補強しリングを形成した。
図１３に示すように、別付けでは、超弾性合金線のバー（４）の端にカン付き円筒管（１４）を挿入し接着材で固定した。
その他には、超弾性合金線のバー（４）の端に柄付のリングを糸で絡めて、接着材で補強した。
ワイヤー、または張りのある糸を丸め、糸で絡めて、接着剤で補強した。
別付けのリングの材質は主に金属製であるが、強度があれば合成樹脂製でも良い。
請求項４の構造は以上で、作用、効果について述べる、
図１６、図１９、図２０、図２５、図２６で示すように、
超弾性合金線のバー（４）によって、それが直線に伸びているので、ネットのよれは発生しない、そこでよれを直してからダンゴに包む必要がなくなった。また、超弾性合金線のバー（４）によって、端糸（３）を引きダンゴを包んでいくと、それが柔らかい材質であるためダンゴの曲線に合わせてぴったりとダンゴを包み周囲を囲むことができた。それは端糸（３）、ネット（２）、超弾性合金線のバー（４）とで包み、ウキ本体（１）の底部に当たりダンゴは固定される。
そこで竿の弾力により投げるときに不用意に動かしてしまってもダンゴは落ちにくかった。またダンゴの型枠代わりとなっているので、ダンゴを上から載せ易く、ネットを寄せやすくなったのでダンゴが包み良くなった。
超弾性合金線のバー（４）とガイド部（６）によって、端糸（３）に自由度を持たせられてよりダンゴが包み良くなった。
またダンゴを載せ投げると、水中で端糸（３）は超弾性合金線のバー（４）とガイド部（６）によってより緩み易くなった。
そこでダンゴがより放出されやすくなった。
ダンゴを放出後、ネットは、超弾性合金線のバー（４）によって、真っ直ぐに伸びて水中移動抵抗は少ないので魚の当たりがより明確にでる。【００１７】  請求項５では、２本の端糸（３）のうち一本の端糸（３）または２本の端糸（３）の代わりに超弾性合金線のバー（４）を取り付けた、それはそのまま端糸（３）の代わりとして、または超弾性合金線のバー（４）の端に糸通しガイド部（６）を形成する、そのほかに超弾性合金線のバー（４）に端糸（３）をつないで付けた。
ここで第一の実施例を上げると、
図２９、図３３に示すように、
２本の端糸（３）のうち一本の端糸（３）の代わりに超弾性合金線のバー（４）を取り付けた、そして超弾性合金線のバー（４）の端に糸通しガイド部（６）を形成した、もう片方の端糸（３）は糸通しガイド部（６）に通した。
以上の構造で請求項５でも請求項４に近い次の作用があり下記に述べると、
超弾性合金線のバー（４）によって、それが直線に伸びているので、ネットのよれは発生しない、そこでよれを直してからダンゴに包む必要がなくなった。また、超弾性合金線のバー（４）によって、端糸（３）を引きダンゴを包んでいくと、それが柔らかい材質であるためダンゴの曲線に合わせてダンゴを包み周囲を囲むことができた。それは端糸（３）、ネット（２）、超弾性合金線のバー（４）とで包み、ウキ本体（１）の底部に当たりダンゴは固定される。
そこで竿の弾力により投げるときに不用意に動かしてしまってもダンゴは落ちにくかった。
ダンゴを載せ投げると、水中で超弾性合金線のバー（４）の弾力でそれが直線になって端糸（３）とともに緩むのでダンゴが放出される。
ダンゴを放出後、ネットは、超弾性合金線のバー（４）によって、真っ直ぐに伸びて水中移動抵抗は少ないので魚の当たりがより明確にでる。
よって請求項５は、請求項４と同様の効果がある。
また、もう片方の端糸（３）は糸通しガイド部（６）付近に固定すると、
図４０に示すように、
２本の端糸（３）のうち一本の端糸（３）の代わりに超弾性合金線のバー（４）を取り付けた、そして超弾性合金線のバー（４）の端に糸通しガイド部（６）を形成した、
そして、もう片方の端糸（３）を糸通しガイド部（６）付近に固定した。
この実施例の使用方法は、糸通しガイド部（６）を係留部として、ここにスナップ付スイベル（９）を取り付け使用する。
この様な構造とすると、請求項１、請求項２と比べて、構造は複雑にならず、請求項４と同様な効果がある。その他この構造では、糸通しガイド部（６）を係留部としている為、上記した構造に比べて端糸の故障は発生が少ない効果がある。ここでの故障とは、岩等に磨れて端糸が切れる、強い風に煽られて、道糸に絡むなどである。
なお端糸の代わりとする場合に、係留部は糸通しガイド部（６）を付けないで超弾性合金線のバー（４）の端に別に設けても、または端糸（３）を固定後に延長して係留部を設けても良い。さらに超弾性合金線のバー（４）と端糸（３）とを合わせて係留部を形成しても良い。【００１８】  請求項５の第２の実施例では図３０、に示すように、
超弾性合金線のバー（４）を、ウキ本体（１）にネットを直接取り付けた状態で奥まった位置、またはそこより少し手前に取り付ける、そして超弾性合金線のバー（４）には糸通しガイド部（６）を形成した状態において、２本の端糸（３）のうち一本の端糸（３）またはニ本の端糸（３）の代わりに超弾性合金線のバー（４）を取り付け、その端から短い端糸（３）を取り付け、ネット下部を通して糸通しガイド部（６）に通した。
第２の実施例では、このような構造で、特別な作用としては、超弾性合金線のバーを複数本使用することで、ネットが縦方向に伸びて張るだけでなく、横方向にも超弾性合金線のバーの弾力で張るので、ダンゴが包み良くなった。その他請求項４と同様の効果がある。
また、図４３に示すように、ニ本の端糸（３）の代わりに超弾性合金線のバー（４）を取り付け、その端から短い端糸（３）を取り付け、ネット下部を通して糸通しガイド部（６）に通した。
この構造では、超弾性合金線のバーの全体で弾力が強力となって、ダンゴをネットの６割、７割で包んでも、ダンゴ放出ができたので、ダンゴを包むのに気を使わなくてもよくなった。
請求項５の第３の実施例では、図３１に示すように、
請求項４の状態より、端糸（３）の代わりに超弾性合金線のバー（４）を取り付けた、その端に糸通しガイド部（６）を形成し、端糸（３）を通しで途中の糸通しガイド部（６）を通しネット下部を経由して、形成した糸通しガイド部（６）に通した。このような構造で、作用としては、第二の実施例と同様に超弾性合金線のバーを複数本使用することで、ネットが縦方向に伸びて張るだけでなく、横方向にも超弾性合金線のバーの弾力で張るので、ダンゴが包み良くなった。その他請求項４と同様の効果がある。
請求項４、請求項５の効果は図３２にあるように、上部ウキ止めが当たり錘が働くと、請求項１、請求項２よりも特に先端が尖った形状になって、水中移動抵抗は少なくなった。
請求項５の材質、取り付け方法は、請求項４と同様である。【００１９】  請求項６では、図３４、図３７に示すように、
ウキ本体（１）の底部に斜め下方に向けたダンゴ受け（２３）を取り付けた。
これは請求項１、請求項２、請求項４、請求項５、に適用する。
ダンゴを包み出きるだけ遠投しようと力を入れてキャストしようとすると、ウキがダンゴに当たっている部分にウキがくい込み変形し、ダンゴ放出の妨げになった。特に少々柔らかいダンゴではよけいに変形した。
そこでダンゴ受け（２３）にダンゴを載せキャストすると、ダンゴにウキの端が直接当たらないのでダンゴが変形せず、ダンゴ放出がスムーズになった。
また少々柔らかいダンゴではキャストの際にダンゴがダンゴ受け（２３）で凹むが、それでもダンゴ受け（２３）はダンゴ放出方向に傾斜しているため、ダンゴ放出ができた。よって請求項６では、少々柔らかいダンゴを放出できるようになった。
また、ダンゴを包む際に受けがあると載せ易く、結果的にダンゴが包み易くなった。
またダンゴを本発明に包む時に、ウキの先端に当て固定の一因としている為ダンゴの安定がわるかった。
そこで図３５に示すように、レール形状のダンゴ受け（２４）としたら、ダンゴを包む際にダンゴの安定が良くなり包み易くなった。
図３６に示すように曲がり形状のダンゴ受け（２５）としても同様の効果があった。
なおダンゴ受けの材質は金属製または合成樹脂製で製作した。
そして取り付けはウキ本体（１）に接着剤で固定、またはウキ本体（１）に穴を開けて挿入し固定した、この場合接着剤で補強しても良い。
また、ダンゴ受けは、ネット（２）に絡めてつけても、そのままでも効果は同様であるが、絡めて付けたほうが扱いやすかった。【００２０】  請求項７では、図２４に示すように、ウキ本体に、ネットを取り付けた外周に、内周を合わせたリング形状カバー（２２）を挿入し接着剤またはビス止めで取り付けた。または爪を付けておいて挿入して止めても良い。
材質は、ウキ本体（１）と同様で良いが他にも金属製のリングで、アルミ、またはチタン等を使用しウキの浮力調節を兼ねることもできる。
請求項７では、以上の構造で、ネットを取り付けるのに接着材が散乱して見た目が悪くとも、その上からカバーをすることで、不良品が良品となって生産効率が増した。【００２１】  請求項２、請求項４、請求項５の他の使用方法として、
ネット（２）への端糸（３）の取り付け方法を、端糸（３）をネット（２）の端にそって網目に通し取り付ける。またはネットを織って隙間を作りそこに通して取り付ける設定として、縫いつけず通すだけとすると、
図２１、図２２、図３９に示すように、端糸（３）を開いて、ネットに原形のままのオキアミを含むコマセを詰めていくと、ネットの網目が開いて、追加して詰められる。詰め終わり端糸（３）を引くとネット（２）が締まり、オキアミが絡み合い固定される、これを釣竿で吊り投げると着水後、水面及び水中で端糸（３）とネット（２）が緩んで、２本の端糸（３）の隙間より、原型のオキアミを含むコマセが放出される。
そして最後まで２本の端糸（３）の隙間よりコマセが放出される。
またネットの網目でも細かいコマセは放出される。
よってそれを載せて遠投して、水面及び水中でそれを放出できた。
【図面の簡単な説明】
【００２２】
【図１】  本発明、請求項１の正面図
【図２】  本発明、請求項１の側面図
【図３】  本発明、請求項２の正面図
【図４】  本発明、請求項２側面図
【図５】  本発明、請求項３のネットを直接ウキに付けた正面図
【図６】  本発明、請求項３のネットを直接ウキに付けた側面図
【図７】  本発明の実施例、請求項２のネットを織って隙間を作りそこに端糸を通した側面図
【図８】  本発明の実施例、請求項１のダンゴをネットに詰めた斜視図
【図９】  本発明の実施例、請求項１の仕掛けに取り付けた側面図
【図１０】  本発明の実施例、端糸をネットに通しただけで、ダンゴをネットに詰めた請求項２の斜視図
【図１１】  本発明の実施例、ダンゴ型枠のバーの端を折り曲げ糸で絡めたリングを形成した斜視図
【図１２】  本発明の実施例、請求項１の端糸とバランス糸をカン付円筒管に挿入し接着材で固定した部分の正面図
【図１３】  本発明の実施例、請求項４の超弾性合金線のバーにカン付き円筒管を挿入し接着材で固定した部分の正面図
【図１４】  本発明の実施例、請求項３のダンコをネットに詰めた側面図
【図１５】  本発明の実施例、棒ウキの正面図
【図１６】  本発明の実施例、請求項４のダンゴをネットに詰めた側面図
【図１７】  本発明、バランス糸を、ダンゴ型枠のバーに代えた、請求項３の正面図
【図１８】  本発明、バランス糸を、ダンゴ型枠のバーに代えた、請求項３の側面図
【図１９】  本発明、請求項４のネットを直接ウキに付けた正面図
【図２０】  本発明、請求項４のネットを直接ウキに付けた側面図
【図２１】  本発明の実施例、請求項２のコマセを詰めた斜視図
【図２２】  本発明の実施例、請求項４のコマセを詰めた斜視図
【図２３】  本発明の実施例、請求項３の柄付のリングを糸で絡めた部分の斜視図
【図２４】  本発明、請求項７のリング形状カバーの説明図
【図２５】  本発明、バランス糸を、超弾性合金線のバーに代えた、請求項４の側面図
【図２６】  本発明、バランス糸を、超弾性合金線のバーに代えた、請求項４の正面図
【図２７】  本発明、請求項１のネットを編んで付けた正面図
【図２８】  本発明の実施例、請求項２のネットに端糸を絡めて付けダンゴを詰めた斜視図
【図２９】  本発明、請求項５の実施例１の正面図
【図３０】  本発明、請求項５の実施例２の正面図
【図３１】  本発明、請求項５の実施例３の正面図
【図３２】  本発明、請求項５の実施例、ネットが尖った状態の正面図
【図３３】  本発明、請求項５の実施例、ダンゴを載せた斜視図
【図３４】  本発明、請求項６の側面図
【図３５】  本発明の実施例、請求項６のレール形状のダンゴ受けを示す、反転させた斜視図
【図３６】  本発明の実施例、請求項６の曲がり形状のダンゴ受けを示す、反転させた斜視図
【図３７】  本発明の実施例、請求項６のダンゴ受けを示す、反転させた斜視図
【図３８】  本発明の実施例、請求項６のダンゴを載せた状態の側面図
【図３９】  本発明の実施例、請求項５のコマセを詰めた状態の斜視図
【図４０】  本発明、請求項５の実施例１の端糸を糸通しガイド部付近に固定した正面図
【図４１】  本発明、請求項３の実施例、ダンゴ型枠のバーを手前に取り付けた側面図
【図４２】  本発明、請求項４の実施例、超弾性合金線のバーを手前に取り付けた側面図
【図４３】  本発明、請求項５の実施例、２本の端糸の代わりに超弾性合金線のバーを取り付けた正面図
【符号の説明】
【００２３】  １ウキ本体、２ネット、３端糸、４超弾性合金線のバー、５ダンゴ型枠のバー、６糸通しガイド部、７バランス糸、８下部ウキ止め、９スナップ付きスイベル、１０棒ウキ、１１上部ウキ止め、１２釣糸、１３シモリ玉、１４カン付円筒管、１５折り曲げて形成したリング、１６錘、１７釣針、１８コマセ、１９結びめ、２０ダンゴ、２１係留部、２２リング形状カバー、２３ダンゴ受け、２４レール形状のダンゴ受け  ２５曲がり形状のダンゴ受け
【図１】
2005312427.tif 000003
【図２】
2005312427.tif 000004
【図３】
2005312427.tif 000005
【図４】
2005312427.tif 000006
【図５】
2005312427.tif 000007
【図６】
2005312427.tif 000008
【図７】
2005312427.tif 000009
【図８】
2005312427.tif 000010
【図９】
2005312427.tif 000011
【図１０】
2005312427.tif 000012
【図１１】
2005312427.tif 000013
【図１２】
2005312427.tif 000014
【図１３】
2005312427.tif 000015
【図１４】
2005312427.tif 000016
【図１５】
2005312427.tif 000017
【図１６】
2005312427.tif 000018
【図１７】
2005312427.tif 000019
【図１８】
2005312427.tif 000020
【図１９】
2005312427.tif 000021
【図２０】
2005312427.tif 000022
【図２１】
2005312427.tif 000023
【図２２】
2005312427.tif 000024
【図２３】
2005312427.tif 000025
【図２４】
2005312427.tif 000026
【図２５】
2005312427.tif 000027
【図２６】
2005312427.tif 000028
【図２７】
2005312427.tif 000029
【図２８】
2005312427.tif 000030
【図２９】
2005312427.tif 000031
【図３０】
2005312427.tif 000032
【図３１】
2005312427.tif 000033
【図３２】
2005312427.tif 000034
【図３３】
2005312427.tif 000035
【図３４】
2005312427.tif 000036
【図３５】
2005312427.tif 000037
【図３６】
2005312427.tif 000038
【図３７】
2005312427.tif 000039
【図３８】
2005312427.tif 000040
【図３９】
2005312427.tif 000041
【図４０】
2005312427.tif 000042
【図４１】
2005312427.tif 000043
【図４２】
2005312427.tif 000044
【図４３】
2005312427.tif 000045
【手続補正書】
【提出日】平成17年1月11日(2005.1.11)
【手続補正１】
【補正対象書類名】特許請求の範囲
【補正対象項目名】請求項３
【補正方法】変更
【補正の内容】
【請求項３】
ダンゴ型枠のバー（５）を、バランス糸（７）の代わりに付ける、またはウキ本体（１）にネットを直接取り付けた状態で奥まった位置、またはそこより手前に取り付ける、そしてダンゴ型枠のバー（５）には糸通しガイド部（６）を形成する、またネット（２）にダンゴ型枠のバー（５）を取り付けるには、ネット（２）の網目を通し、またはネット（２）に絡めて付けた、そして端糸（３）を糸通しガイド部（６）に通した、請求項１または請求項２のダンゴ遠投ウキ１。
【手続補正２】
【補正対象書類名】明細書
【補正対象項目名】０００５
【補正方法】変更
【補正の内容】
【０００５】本発明は上記課題を解決する為のもので、
請求項１では、２本の端糸（３）と単数または複数のバランス糸（７）に弛ませたネット（２）を形成し、それをウキ本体（１）の中心から下方部にかけて取り付け、取り付け方法は、ウキ底部の周囲を約半分囲うようにバランス糸（７）の端と、端糸（３）の端を付けた、そしてもう片方のバランス糸（７）の端と、端糸（３）の端は係留部（２１）を形成した。
請求項２では、
ネット（２）を、ウキ本体（１）の中心から下方部にかけて直接取り付け、取り付け方法は弛ませてウキ底部の周囲を約半分囲うように取り付ける、そのネット（２）の端にそって２本の端糸（３）を取り付け、そして２本の端糸（３）の端をウキ本体（１）に取り付けた。
請求項３では、
ダンゴ型枠のバー（５）を、バランス糸（７）の代わりに付ける、またはウキ本体（１）にネットを直接取り付けた状態で奥まった位置、またはそこより手前に取り付ける、そしてダンゴ型枠のバー（５）には糸通しガイド部（６）を形成する、またネット（２）にダンゴ型枠のバー（５）を取り付けるには、ネット（２）の網目を通し、またはネット（２）に絡めて付けた、そして端糸（３）を糸通しガイド部（６）に通した。
請求項４では、
超弾性合金線のバー（４）を、バランス糸（７）の代わりに付ける、またはウキ本体（１）にネットを直接取り付けた状態で奥まった位置、またはそこより少し手前に取り付ける、そして超弾性合金線のバー（４）には糸通しガイド部（６）を形成する、またネット（２）に超弾性合金線のバー（４）を取り付けるには、ネット（２）の網目を通し、またはネット（２）に絡めて付けた、そして端糸（３）を糸通しガイド部（６）に通した。
請求項５では、
２本の端糸（３）のうち一本の端糸（３）または２本の端糸（３）の代わりに超弾性合金線のバー（４）を取り付けた、それはそのまま端糸（３）の代わりとして、または超弾性合金線のバー（４）の端に糸通しガイド部（６）を形成する、そのほかに超弾性合金線のバー（４）に端糸（３）をつないで付けた。
請求項６では、
ウキ本体（１）の底部に、斜め下方に向けたダンゴ受け（２３）を取り付けた。
請求項７では、
ウキ本体（１）に、ネット（２）を取り付けた外周に、内周を合わせたリング形状カバー（２２）を取り付けた。
【手続補正３】
【補正対象書類名】明細書
【補正対象項目名】００１３
【補正方法】変更
【補正の内容】
【００１３】  請求項３の構造は、図５、図６、図１４、図１７、図１８に示すように、
ダンゴ型枠のバー（５）を、バランス糸（７）の代わりに付ける、またはウキ本体（１）にネットを直接取り付けた状態で奥まった位置、またはそこより手前に取り付ける、そしてダンゴ型枠のバー（５）には糸通しガイド部（６）を形成する、またネット（２）にダンゴ型枠のバー（５）を取り付けるには、ネット（２）の網目を通し、またはネット（２）に絡めて付けた、そして端糸（３）を糸通しガイド部（６）に通した。
請求項３の、ダンゴ型枠のバー（５）は網目を通しても、またはネット（２）に絡めて付けても良い。ただしダンゴ型枠のバー（５）を網目に通した場合は、ネットの最下部を絡めておくとネットがずり落ちない。
ダンゴ型枠のバー（５）のウキ本体（１）への取り付けは、ウキ本体（１）に穴を開け挿入し接着剤で補強した。また他に金具を用いて固定しても良い。
ダンゴ型枠のバー（５）は直径１．３ミリの鋼線材を曲げて加工し熱処理後にメッキして使用しました。尚、ステンレス材であればメッキの必要はありません。
またこれも型枠となればよいので太さ材質はこの限りではありません。
ダンゴ型枠のバー（５）は、ウキ本体（１）にネットを直接取り付けた状態で奥まった位置、または図４１に示すように、そこより手前に取り付けても、効果は同じである。
【手続補正４】
【補正対象書類名】図面
【補正対象項目名】図１
【補正方法】変更
【補正の内容】
【図１】
2005312427.tif 000046
【手続補正５】
【補正対象書類名】図面
【補正対象項目名】図３
【補正方法】変更
【補正の内容】
【図３】
2005312427.tif 000047
【手続補正６】
【補正対象書類名】図面
【補正対象項目名】図５
【補正方法】変更
【補正の内容】
【図５】
2005312427.tif 000048
【手続補正７】
【補正対象書類名】図面
【補正対象項目名】図６
【補正方法】変更
【補正の内容】
【図６】
2005312427.tif 000049
【手続補正８】
【補正対象書類名】図面
【補正対象項目名】図１４
【補正方法】変更
【補正の内容】
【図１４】
2005312427.tif 000050
【手続補正９】
【補正対象書類名】図面
【補正対象項目名】図１７
【補正方法】変更
【補正の内容】
【図１７】
2005312427.tif 000051
【手続補正１０】
【補正対象書類名】図面
【補正対象項目名】図１８
【補正方法】変更
【補正の内容】
【図１８】
2005312427.tif 000052
【手続補正１１】
【補正対象書類名】図面
【補正対象項目名】図１９
【補正方法】変更
【補正の内容】
【図１９】
2005312427.tif 000053
【手続補正１２】
【補正対象書類名】図面
【補正対象項目名】図２６
【補正方法】変更
【補正の内容】
【図２６】
2005312427.tif 000054
【手続補正１３】
【補正対象書類名】図面
【補正対象項目名】図２７
【補正方法】変更
【補正の内容】
【図２７】
2005312427.tif 000055
【手続補正１４】
【補正対象書類名】図面
【補正対象項目名】図３２
【補正方法】変更
【補正の内容】
【図３２】
2005312427.tif 000056
【手続補正１５】
【補正対象書類名】図面
【補正対象項目名】図４１
【補正方法】変更
【補正の内容】
【図４１】
2005312427.tif 000057